(57)【要約】【課題】第１天板部の上面にＴＶを載置した状態で、ＴＶが観やすくなると共に、ＴＶの首振りが妨げられない。【解決手段】天板９が、第１天板部９Ａと第２天板部９Ｂとを平面視略Ｌ型に組み合わせて構成され、第１天板部９Ａは、コーナー部２の直交する壁面３,４に沿う背部二辺９ａ,９ｂと、壁面３,４に対して傾斜した正面側に配置される前部斜辺９ｄと、前部斜辺９ｄの左右両側に位置する側部二辺９ｃ,９ｅとを有し、左右の側部二辺９ｃ,９ｅを同一幅とすると共に、第１天板部９Ａに隣接配置される第２天板部９Ｂの一辺９ｉを上記側部二辺９ｃ,９ｅと同一幅で且つ同一高さに形成した。【選択図】図１
2010119793.tif 000002
【特許請求の範囲】
【請求項１】
部屋の直交するコーナー部の壁面に沿って配置されるコーナーキャビネットの構造であって、テレビ載置部となる天板が第１天板部と平面視四角形状の第２天板部とを平面視略Ｌ型に組み合わせて構成され、上記第１天板部は、コーナー部の直交する壁面に沿う背部二辺と、壁面に対して傾斜した正面側に配置される前部斜辺と、前部斜辺の左右両側に位置する側部二辺とを有し、左右の側部二辺を同一幅とすると共に、第１天板部に隣接配置される第２天板部の一辺を上記側部二辺と同一幅で且つ同一高さに形成してなることを特徴とするコーナーキャビネットの構造。
【請求項２】
上記第１天板部の側部二辺のいずれか一方とこれに隣接する第２天板部の一辺とが面一状に連続するように、第１天板部と第２天板部とを平面視略Ｌ型に一体形成したことを特徴とする請求項１記載のコーナーキャビネットの構造。
【発明の詳細な説明】
【技術分野】
【０００１】
本発明は、部屋のコーナー部の壁面に沿って配置されるコーナーキャビネットの構造に関し、詳しくはテレビ載置部となる天板の構造に関するものである。
【背景技術】
【０００２】
従来から、ＴＶが載置されるコーナーキャビネットは、部屋のコーナー部の壁面にピッタリと合うような五角形状に形成されており、五角形の斜辺をコーナーキャビネットの正面に配置して、コーナーキャビネット上のＴＶの向きとコーナーキャビネットの正面の向きを揃えるようにしている（例えば、特許文献１参照）。
【０００３】
ところで、五角形状のコーナーキャビネット上にＴＶを載置した場合、部屋の形状や置き物の存在によって、ＴＶを観る場所がＴＶの画面の正面にこない場合には視線が斜め向きになって、かなり観づらくなる人も出て来ることになる。なお、ＴＶを首振りしたときはＴＶの幅方向の角部が五角形状のコーナーキャビネットから出っ張る形となり、仮りにコーナーキャビネットの側方に背の高い大型の置き物が置かれている場合は、ＴＶの視野角が置き物によって妨げられ、ＴＶを見る位置が正面位置に限られ、斜め横位置から観られなくなるという問題があり、さらに置き物によってＴＶの首振りが妨げられるという問題が生じる。
【特許文献１】特開２００４−２４８６８８号公報
【発明の開示】
【発明が解決しようとする課題】
【０００４】
本発明は上記の従来の問題点に鑑みて発明したものであって、その課題とするところは、第１天板部の上面にＴＶを載置した状態で、ＴＶが観やすくなると共に、ＴＶの首振りが妨げられないようにできるコーナーキャビネットの構造を提供することにある。
【課題を解決するための手段】
【０００５】
前記の課題を解決するために、部屋の直交するコーナー部２の壁面３,４に沿って配置されるコーナーキャビネットの構造であって、テレビ載置部となる天板９が、第１天板部９Ａと平面視四角形状の第２天板部９Ｂとを平面視略Ｌ型に組み合わせて構成され、上記第１天板部９Ａは、コーナー部２の直交する壁面３,４に沿う背部二辺９ａ,９ｂと、壁面３,４に対して傾斜した正面側に配置される前部斜辺９ｄと、前部斜辺９ｄの左右両側に位置する側部二辺９ｃ,９ｅとを有し、左右の側部二辺９ｃ,９ｅを同一幅とすると共に、第１天板部９Ａに隣接配置される第２天板部９Ｂの一辺９ｉを上記側部二辺９ｃ,９ｅと同一幅で且つ同一高さに形成したことを特徴としている。
【０００６】
このような構成とすることで、第１天板部９Ａの側方に第２天板部９Ｂを配置したとき、第１天板部９Ａの側部二辺９ｃ,９ｅのいずれか一方と第２天板部９Ｂの一辺９ｉとが同一幅・同一高さとなるので、第１天板部９Ａの上面にＴＶ４０を載置した状態では、ＴＶ４０の側方に第１天板部９Ａと同一高さの第２天板部９Ｂが配置された構造となり、この第２天板部９Ｂの上に背の高い大型の置き物を置かないようにすることでＴＶ４０の視野角θが広がるので、ＴＶ４０が観やすくなる。しかも、ＴＶ４０の首振りが妨げられず、ＴＶ４０及び置き物の損傷を防ぐことができる利点がある。
【０００７】
また、上記第１天板部９Ａの側部二辺９ｃ,９ｅのいずれか一方とこれに隣接する第２天板部９Ｂの一辺９ｉとが面一状に連続するように、第１天板部９Ａと第２天板部９Ｂとを平面視略Ｌ型に一体形成するのが好ましく、この場合、天板９の部品数を削減できて、コーナーキャビネット１の組み立てが容易になると共に、天板９全体の外観を向上させることができる。
【発明の効果】
【０００８】
本発明は、第１天板部の左右の側部二辺を同一幅とすると共に第２天板部の一辺を側部二辺と同一幅で且つ同一高さとしたことにより、第１天板部の上面にＴＶを載置した状態では、第２天板部の上に置き物等を置かないことでＴＶの視野角が広がるので、ＴＶが観やすくなると共に、置き物の不存在によってＴＶの首振りが妨げられず、ＴＶ及び置き物の損傷を防ぐことができるものである。
【発明を実施するための最良の形態】
【０００９】
以下、本発明を添付図面に示す実施形態に基いて説明する。
【００１０】
本実施形態のコーナーキャビネット１は、図５に示すように、部屋のコーナー部２に設置される収納部を有するキャビネット本体５と、キャビネット本体５と隣接配置されるサイドキャビネット２２と、上記キャビネット本体５のサイドキャビネット２２側と反対側に配置される側板７と、側板７の上部からキャビネット本体５の上部及びサイドキャビネット２２の上部に跨って覆うＴＶ載置用の平面視略Ｌ型の天板９とで構成されている。これらキャビネット本体５と側板７とサイドキャビネット２２と天板９とは、それぞれ、分解・組立可能な別部品にて構成されている。本例では、側板７は化粧パネルとして機能する。図５中の１２は天板９の背部二辺９ａ,９ｂを支持する受け金具、２０はフラップダウン扉、２２ａはサイドユニット用扉、４１はＴＶ用配線キャップが装着される配線切欠孔である。
【００１１】
上記テレビ載置部となる天板９は、図１に示すように、第１天板部を構成する平面視五角形状の五角形天板部９Ａと、第２天板部を構成する平面視四角形状の四角形天板部９Ｂとを横方向に平面視略Ｌ型に組み合わせて構成されている。
【００１２】
上記五角形天板部９Ａは、コーナー部２の直交する壁面３,４に沿う背部二辺９ａ,９ｂと、壁面３,４に対して傾斜した正面側に配置される前部斜辺９ｄと、前部斜辺９ｄの左右両側に位置する側部二辺９ｃ,９ｅとを有する。
【００１３】
上記四角形天板部９Ｂは、内角が９０°の四辺９ｉ、９ｆ、９ｇ、９ｈからなる。本例では平面視で正方形に形成されている。
【００１４】
ここにおいて、上記五角形天板部９Ａの側部二辺９ｃ,９ｅを同一幅としている。
【００１５】
また四角形天板部９Ｂの一辺９ｉを、五角形天板部９Ａの側部二辺９ｃ,９ｅのいずれか一方と同一幅で且つ同一高さに設定してある。本例では、この同一幅で且つ同一高さで隣接配置される五角形天板部９Ａの側部二辺９ｃ,９ｅの一方と四角形天板部９Ｂの一辺９ｉとが面一状に連続するように、五角形天板部９Ａと四角形天板部９Ｂとを平面視略Ｌ型に一体形成されている。なお、五角形天板部９Ａと四角形天板部９Ｂは組み立て可能な別部品で構成されてもよい。
【００１６】
図２はＴＶ４０の視野角θを示している。図２中の３０は小物ラックであり、ＴＶ４０の視野角θを広げるために四角形天板部９Ｂの後方に寄せて載置されている。
【００１７】
しかして上記構成の天板９においては、五角形天板部９Ａの側方に四角形天板部９Ｂが延びており、この四角形天板部９Ｂの上面を五角形天板部９Ａの上面と同一高さとし、且つ隣接する五角形天板部９Ａの同一幅の側部二辺９ｃ,９ｅのいずれか一方と四角形天板部９Ｂの一辺９ｉとを同一幅としているので、五角形天板部９Ａの上面にＴＶ４０を載置した状態で、ＴＶ４０の側方には五角形天板部９Ａと同一高さの四角形天板部９Ｂが位置した構造となり、図３に示すように、四角形天板部９Ｂの上に置き物を置かないことでＴＶ４０の視野角が広がるので、コーナーキャビネット１の正面位置からだけでなく、斜め横位置からでもＴＶ４０が観やすくなる。また、ＴＶ４０の首振りが妨げられず、ＴＶ４０及び置き物の損傷を防ぐことができる利点がある。なお図３中の９Ｃは、四角形天板部９Ｂに連なる長方形天板部であり、複数のサイドキャビネット４５の上部を覆っている。
【００１８】
また図４に示すように、四角形天板部９Ｂの上面に奥行きの小さな小物入れ等を設置することで、ＴＶ４０の視野角を広げながら、四角形天板部９Ｂの上面がデッドスペースとなることがなく、四角形天板部９Ｂの上面を有効利用できる。図４中の４６は背の高い収納ボックス、４７は上方に配置される天袋である。
【００１９】
また本例では、五角形天板部９Ａと四角形天板部９Ｂの背部二辺９ａ,９ｂをコーナー部２の壁面３,４にぴったりと合わせることができると共に、五角形天板部９Ａと四角形天板部９Ｂとが面一状に連続するように一体形成したことによって、天板９の部品数を削減できて、コーナーキャビネット１の組み立てが容易にできると共に、天板９全体の外観が向上する利点もある。
【００２０】
図７はコーナーキャビネット１の分解斜視図である。直方体収納ボックス５の左右に配置される側板７,８のうち、一方の側板７は、その幅方向の一側端部７ａがコーナー部２の一方の壁面３に直交して接触した状態で、幅方向の他側端部７ｂが平面視略Ｖ字形の第１の連結具１０を介して該一方の壁面３と対向する直方体収納ボックス５の一方の前側端部５ａに対して所定角度で傾斜して連結保持されている。他方の側板８は、その幅方向の一側端部８ａがコーナー部２の他方の壁面４に直交して接触した状態で、幅方向の他側端部８ｂが平面視略Ｖ字形の第２の連結具１１を介して該他方の壁面４と対向する直方体収納ボックス５の他方の前側端部５ｂに対して所定角度で傾斜して連結保持されている。これにより、別部品からなる直方体収納ボックス５と左右の側板７,８と連結具１０,１１と平面視略Ｌ型の天板９との組み合わせによって、少ない部品数で平面視五角形のコーナーキャビネット１を容易に組み立てることができる。また本例では、一方の壁面３に沿う一方の側板７が化粧パネルとして機能し、他方の壁面４に沿う他方の側板８が補強パネルとして機能する。なお図７中の５ｃは直方体収納ボックス５の上面部、２０はフラップダウン扉、２１は配線パイプ、２２は扉２２ａを備えるサイドボックスである。
【００２１】
前記実施形態では正面視でコーナー部２の右側に四角形天板部９Ｂを配置した例を説明したが、例えばコーナー部２の左側に四角形天板部９Ｂを配置した構造でもよい。図６（ａ）は右仕様の天板９、図６（ｂ）は左仕様の天板９の例を示している。
【図面の簡単な説明】
【００２２】
【図１】本発明の五角形天板部と四角形天板部とからなる平面視略Ｌ型の天板を説明する平面図である。
【図２】同上の五角形天板部上のＴＶの視野角を説明する平面図である。
【図３】同上の五角形天板部上にＴＶを載置した状態の説明図である。
【図４】同上のコーナーキャビネットの側方に背の高いキャビネットを設置した場合の実施形態の説明図である。
【図５】同上のコーナーキャビネットの組み立て状態の正面から見た斜視図である。
【図６】（ａ）は右仕様の天板、（ｂ）は左仕様の天板の例を示す斜視図である。
【図７】同上のコーナーキャビネットの分解斜視図である。
【符号の説明】
【００２３】
１  コーナーキャビネット
２  コーナー部
３,４  壁面
９  天板
９Ａ  第１天板部
９Ｂ  第２天板部
９ａ,９ｂ  背部二辺
９ｃ,９ｅ  側部二辺
９ｄ  前部斜辺
９ｉ、９ｆ、９ｇ、９ｈ  第２天板部の四辺
【図１】
2010119793.tif 000003
【図２】
2010119793.tif 000004
【図３】
2010119793.tif 000005
【図４】
2010119793.tif 000006
【図５】
2010119793.tif 000007
【図６】
2010119793.tif 000008
【図７】
2010119793.tif 000009